(57)【要約】      （修正有）【課題】腰を下ろす部分を中空としたときに好適な椅子を提供する。【解決手段】腰を下ろす部分である座面５と、座面と対向する面である接地面６と、座面と接地面とを結ぶ側面とを有する中空の椅子１であって、側面と接地面とに沿って配置されるベルト４を有している。【選択図】図１
0003207317.tif 000002
【実用新案登録請求の範囲】
【請求項１】
椅子の腰を下ろす部分である座面と、上記座面とは対向する面である接地面と、上記座面と上記接地面とを結ぶ側面とを有する中空の椅子であって、
当該椅子は、上記側面と上記接地面または上記座面とに沿って配置されるベルトを有することを特徴とする椅子。
【請求項２】
請求項１の椅子において、
前記ベルトは、その両端が上記側面から導出され、人間の腰回りに沿って締めたとき、おしりの位置に前記座面が位置することが可能なことを特徴とする椅子。
【請求項３】
請求項１または２に記載の椅子において、
前記接地面または前記座面には、前記ベルトが露出して配置され、当該ベルトのガイドとなる凹部を有することを特徴とする椅子。
【請求項４】
請求項１から３のいずれか１項に記載の椅子において、
前記椅子が、容器となるようその一部を取り外しできることを特徴とする椅子。
【考案の詳細な説明】
【技術分野】
【０００１】
本考案は、椅子に関するものである。
【背景技術】
【０００２】
従来から、農作業または草取り作業等、作業の最中にしゃがむことの多い作業中に腰掛けることのできる椅子が提案されている。たとえば、特許文献１は、上面を座部とする基台と、基台を貫通する孔と、孔を通したベルトと、からなる身体装着腰かけを開示している。ここで、孔は、基台の一の側面側から他の側面側に直線状に貫通させる。特許文献２も特許文献１とほぼ同じ構成の作業用補助具であり、ベルトが座部から非常に近い位置のみを固定している構成を開示している。
【先行技術文献】
【特許文献】
【０００３】
【特許文献１】実用新案登録第３１５９９８５号公報
【特許文献２】特開２００１−１２８７９１号公報
【考案の概要】
【考案が解決しようとする課題】
【０００４】
特許文献１と特許文献２に開示された身体装着腰かけまたは作業用補助具は、椅子の部分を中空としたときに、良好とは言えない。そこで、本発明が解決しようとする課題は、椅子の部分を中空としたときに好適な椅子を提供することである。
【課題を解決するための手段】
【０００５】
上記課題を解決するため、本発明の椅子は、椅子の腰を下ろす部分である座面と、座面とは対向する面である接地面と、座面と接地面とを結ぶ側面とを有する中空の椅子であって、椅子は、側面と接地面または座面とに沿って配置されるベルトを有することを特徴とする。
【０００６】
ここで、ベルトは、その両端が側面から導出され、人間の腰回りに沿って締めたとき、おしりの位置に座面が位置することが可能なこととしてもよい。
【０００７】
また、接地面または座面には、ベルトが露出して配置され、ベルトのガイドとなる凹部を有することとしてもよい。
【０００８】
また、椅子が、容器となるようその一部を取り外しできることとしてもよい。
【考案の効果】
【０００９】
椅子の部分を中空としたときに好適な椅子を提供することができる。
【図面の簡単な説明】
【００１０】
【図１】本発明の実施の形態に係る椅子の正面図である。
【図２】本発明の実施の形態に係る椅子を構成する蓋体の６面図であり、（Ａ）は右側面図、（Ｂ）は正面図、（Ｃ）は背面図、（Ｄ）は左側面図、（Ｅ）は底面図および平面図、（Ｆ）はＡ−Ａ断面図、（Ｇ）はＢ−Ｂ断面図である。
【図３】本発明の実施の形態に係る椅子を構成する本体の６面図であり、（Ａ）は右側面図、（Ｂ）は正面図および背面図、（Ｃ）は左側面図、（Ｄ）は底面図および平面図、（Ｅ）はＣ−Ｃ断面図、（Ｆ）はＤ−Ｄ断面図である。
【図４】人間が本発明の実施の形態に係る椅子を腰に装着した状態を示す図である。
【図５】人間が椅子１に腰かけながら農作業等を行なっている状態を示す図である。
【考案を実施するための形態】
【００１１】
以下、本発明の実施の形態に係る椅子について、図面を参照しながら説明する。図１は、本発明の実施の形態に係る椅子の正面図である。図２は、本発明の実施の形態に係る椅子を構成する蓋体の６面図であり、（Ａ）は右側面図、（Ｂ）は正面図、（Ｃ）は背面図、（Ｄ）は左側面図、（Ｅ）は底面図および平面図、（Ｆ）はＡ−Ａ断面図、（Ｇ）はＢ−Ｂ断面図である。
【００１２】
図３は、本発明の実施の形態に係る椅子を構成する本体の６面図であり、（Ａ）は右側面図、（Ｂ）は正面図および背面図、（Ｃ）は左側面図、（Ｄ）は底面図および平面図、（Ｅ）はＣ−Ｃ断面図、（Ｆ）はＤ−Ｄ断面図である。
【００１３】
本発明の実施の形態に係る椅子１は、蓋体２と本体３に分かれており、蓋体２を本体３に嵌め合わせることで、椅子１となる。そして蓋体２と本体３の隙間からベルト４が導出されている。また椅子１は、その腰を下ろす部分である座面５と、座面５とは対向する面である接地面６と、座面５と接地面６とを結ぶ側面７（蓋体２の側面を７Ａ，本体３の側面を７Ｂとして示している）とを有する中空の椅子１である。そして椅子１は、側面７と接地面６とに沿って配置されるベルト４を有している。
【００１４】
ベルト４は、図３（Ｃ）（Ｅ）に記載したように、出入り口８Ａを経由して通路８を通る。そして、側面７Ｂを通る際には２重の壁で形成される隙間が通路８となる。そして接地面６では通路８が露出し、長辺方向に凹部となるガイド９によりガイドされながら通路８が形成される。
【００１５】
図４は、人間が本発明の実施の形態に係る椅子１を腰に装着した状態を示す図である。ここで、ベルト４は、その両端が側面７から導出され、人間の腰回りに沿って締めたとき、おしりの位置に座面５が位置する。
【００１６】
図５は、人間が椅子１に腰かけながら農作業等を行なっている状態を示す図である。図４に示す立っている状態から、人間が若干ベルト４を緩めて椅子１の位置を調整して腰かける。
【００１７】
椅子１は、中空となっているため、その中に飲料水または食品等を入れ、休み時間に飲食することができる。なお、図２（Ａ）（Ｇ）に示すように、蓋体２の内側面には飲料容器に対応した形状の凹凸１０が形成されている。そのため、飲食する際にコースター代わりに蓋体２を使用することができる。
【００１８】
（本発明の実施の形態によって得られる主な効果）
本発明の実施の形態に係る椅子１は、容器となるようその一部（蓋体２）を取り外しできることとしている。そのため、容器となる椅子１を構成できる。そして椅子１は、側面７と接地面６とに沿って配置されるベルト４を有している。そのため、容器の空間を遮ること無くベルト４を設置することが可能である。これにより、椅子１の部分を中空としたときに好適な椅子を提供することができる。
【００１９】
（他の形態）
上述した本発明の実施の形態に係る椅子１は、本発明の好適な形態の一例ではあるが、これに限定されるものではなく本発明の要旨を変更しない範囲において種々の変形実施が可能である。
【００２０】
本発明の実施の形態に係る椅子１は、側面７と接地面６とに沿って配置されるベルト４を有している。しかしながら、椅子１は、側面７と座面５とに沿って配置されるベルト４を有することとしても良い。
【００２１】
ベルト４の通路８は、その一部を２重の壁で構成したり、その一部を露出させたりする必要はない。たとえば、ほぼ全てを露出させることも可能である。また、ガイド９も必須の構成要素ではないため、省略できる。また、側面７と座面５とに沿って配置されるベルト４を有する椅子１の場合は、座面５側にこのガイド９が配置されることとなるが、そのガイド９も同様に省略することができる。
【００２２】
また、図２（Ａ）（Ｇ）に示すように、蓋体２の内側面には飲料容器に対応した形状の凹凸１０が形成されている。しかしながら、この凹凸は、必須の構成要素ではないため、省略することができる。
【符号の説明】
【００２３】
１  椅子
４  ベルト
５  座面
６  接地面
７  側面
９  ガイド
【図１】
0003207317.tif 000003
【図２】
0003207317.tif 000004
【図３】
0003207317.tif 000005
【図４】
0003207317.tif 000006
【図５】
0003207317.tif 000007